(57)【要約】【目的】扱い易く、使用し易く、便利に歩行運動及び起立運動ができるサドル着脱昇降式歩行車を提供すること。【構成】歩行車（３５）において、サドル（５）を昇降させる昇降部（１７）がフレーム（３）に着脱可能に設けられ、フレーム（３）の取付部（８）に掛止部（３７）を設け、昇降部（１７）のベース（１５）に、前記掛止部（３７）に着脱可能な被掛止部（３８）を設け、昇降部（１７）にサドル（５）がその座面を前傾して取着され、サドル（５）はその座面の前傾角度を調節可能に取り付けられるサドル着脱昇降式歩行車である。【選択図】      図１
2005021327.tif 000002
【特許請求の範囲】
【請求項１】
歩行車（３５）において、サドル（５）を昇降させる昇降部（１７）がフレーム（３）に着脱可能に設けられることを特徴とするサドル着脱昇降式歩行車。
【請求項２】
フレーム（３）の取付部（８）に掛止部（３７）を設け、昇降部（１７）のベース（１５）に、前記掛止部（３７）に着脱可能な被掛止部（３８）を設けることを特徴とする請求項１記載のサドル着脱昇降式歩行車。
【請求項３】
昇降部（１７）にサドル（５）がその座面を前傾して取着されることを特徴とする請求項１記載のサドル着脱昇降式歩行車。
【請求項４】
サドル（５）はその座面の前傾角度を調節可能に取り付けられる請求項３記載のサドル着脱昇降式歩行車。
【発明の詳細な説明】
【０００１】
【産業上の利用分野】
本発明は、下肢の機能に障害を持つ人（＝以下患者という）に対して歩行運動及び起立運動を行なうサドル着脱昇降式歩行車に関する。
【０００２】
【従来の技術】
【特許文献１】特開２００１−３２１４０４号公報
従来の技術の特許文献に、上下移動可能なサドルが設けられた車椅子又は歩行器とからなる歩行器兼用車椅子が開示されている。
【０００３】
【発明が解決しようとする課題】
前記従来技術は、サドルを上げれば歩行器となり、サドルを下げれば車椅子となり便利であるという利点があるが、サドルが歩行運動に邪魔になることがあっても、サドルを着脱できる構成は無いので除去できなかった。歩行運動のし易い歩行車の提供が望まれていた。
【０００４】
本発明の目的は、上記要望を満足するのであり、扱い易く、使用し易く、便利に歩行運動及び起立運動ができるサドル着脱昇降式歩行車を提供することにある。
【０００５】
【課題を解決するための手段】
即ち本発明は、歩行車（３５）において、サドル（５）を昇降させる昇降部（１７）がフレーム（３）に着脱可能に設けられることを特徴とするサドル着脱昇降式歩行車である。
又、フレーム（３）の取付部（８）に掛止部（３７）を設け、昇降部（１７）のベース（１５）に、前記掛止部（３７）に着脱可能な被掛止部（３８）を設ける。
更に、昇降部（１７）にサドル（５）がその座面を前傾して取着される。
更に又、サドル（５）はその座面の前傾角度を調節可能に取り付けられる。
【０００６】
【作用】
本発明のサドル着脱昇降式歩行車１を用いて歩行運動及び起立運動を行なう。患者が座るサドル５は昇降する。昇降部１７はサドル５の昇降作動を補助する。フレーム３に取着された昇降部１７は、フレーム３に着脱可能であり、昇降部１７はフレーム３から容易な操作で離脱できる。
【０００７】
昇降部１７のベース１５に設けられた被掛止部３８を、フレーム３の取付部８に設けられた掛止部３７に掛止し、昇降部１７をフレーム３に着脱可能に取り付ける。
【０００８】
昇降部１７に支持されるサドル５の座面は傾斜している。
【０００９】
昇降部１７に支持されるサドル５は、角度を調節可能であり、該サドル５の座面は適宜に変更される。
【００１０】
【実施例】
図１乃至５に本発明の実施例を示している。
実施例の着脱サドル昇降式歩行車１は、患者が歩行運動及び起立運動を行なう装置である。
着脱サドル昇降式歩行車１は、床面２を走行するフレーム３と、フレーム３に取着される昇降部１７と、昇降部１７の先部に取着されるサドル５と、フレーム３に支持される肘受け１３とからなる。
【００１１】
床面２を走行するフレーム３は、下部に車輪３６が設けられた脚部６と、脚部６に立設される支持部７と、脚部６の先端に立設される取付部８と、支持部７を補強する補強部９とからなる。
【００１２】
前記脚部６は、左辺６ａ、右辺６ｂ、及び、前辺６ｃからなる。前記取付部８は前記前辺６ｃに立設される。
【００１３】
左・右支持部７ａ、７ｂは、それぞれ左辺６ａ及び右辺６ｂに立設される。取付部８と左・右支持部７ａ、７ｂは補強部９で連結されている。
【００１４】
支持部７は、外筒１０に内筒１１がテレスコープ状に挿通され、外筒１０に支持ロック機構１２が設けられてなる。
介助者が前記支持部７を伸縮操作することによって前記肘受け１３は、適宜な高さに変更・調節できる。
【００１５】
昇降部１７は、平行リンク部４と、付勢部材１８と、付勢部材１８の伸縮移動を許容するロック解除機構１９とからなる。
【００１６】
平行リンク部４は、平行なアーム１４（＝上・下アーム１４ａ、１４ｂ）と、該アーム１４の基部が軸支されるベース１５と、該アーム１４の先部が軸支されるサドル枠１６とからなる。
【００１７】
付勢部材１８は、サドル５を上方へ付勢するものであり、ベース１５とサドル枠１６の間に掛け渡されて設けられる。付勢部材１８には、該付勢部材１８の伸縮動をロックするロック機構（図示省略）が内蔵されている。付勢部材１８の具体例は、ガススプリングである。
【００１８】
ロック解除機構１９は、レバー２０と、リンク金具２１とからなる。リンク金具２１は前記ロック機構のプッシュロッド（図示省略）を押圧し付勢部材１８のロック作用を解除するものである。ロック解除機構１９は、付勢部材１８及びサドル枠１６に亘る部位に構成される。
【００１９】
介助者が片手で、サドル５とレバー２０とを同時に掴めるように、レバー２０がサドル５のすぐ下に設けられる。
【００２０】
前記ベース１５と取付部８の間には、昇降部１７をフレーム３に容易に着脱できるようにする取付機構２５が設けられる。
取付機構２５は、取付部８に設けられる掛止部３７とベース１５に設けられる被掛止部３８とからなる。掛止部３７はピン２６と雌ネジ部２９とからなり、被掛止部３８は、ベース１５に設けられ前記ピン２６に引っ掛けられる鉤穴２７と、雌ネジ部２９に螺合できるノブネジ２８とからなる。
【００２１】
前記サドル枠１６の上部に、角度調節器３０を介してサドル５が取着される。サドル５は、角度調節器３０により該サドル５の座面が角度調節可能であり、その座面は通常は前傾状に固定される。
【００２２】
前記アーム１４を、その基部を中心に回動させると、アーム１４先のサドル枠１６と共にサドル５が昇降する。
サドル５の平面視形状は、略丸三角フラスコの正面視形状である。
【００２３】
サドル枠１６にはサドル取付枠片３３が上方突出される。サドル５からサドル取付片３４が下方突出される。サドル取付枠片３３、及びサドル取付片３４にはそれぞれ取付穴３１が開口されている。角度調節器３０は、前記両取付穴３１を重ね合わせ、両取付穴３１にボルト３２を貫通し、サドル取付枠片３３にサドル取付片３４を固定するものである。サドル５の座面は、角度調節器３０によって所定の前傾角度に固定される。
【００２４】
支持部７の頂部に肘受け１３が、前方に僅か下降する前傾状に（＝前傾）、且つ、内側方にも僅か下降傾斜状に（＝内傾）取着される。
肘受け１３の前部左右に斜状に、患者が握る握り部２２が設けられる。
【００２５】
肘受け１３の後部に、患者の背部位置に有って適宜患者の背部に接触し背部を支える背部サポート２３が設けられる。背部サポート２３の取り付け基部は肘受け１３に回動及びスライド・固定可能に取着され前後位置調節可能である。
背部サポート２３は管部材に緩衝部材を被着してなる。
更に、肘受け１３の前部に、患者の胸部を支える胸当てパッド２４が設けられる。
【００２６】
本発明のサドル着脱昇降式歩行車１を用いて歩行運動及び起立運動を行なう。
実施例を歩行運動に使用する時は、患者はサドル５に座り、前傾且つ内傾した肘受け１３に肘を乗せる。
介助者は、サドル５及び肘受け１３を、レバー２０及び支持ロック機構１２を操作しながら手動で適宜高さに昇降させ調節する。
【００２７】
サドル５が適宜位置に至ると、前記ロック機構でロッド部３９をロックする。このようにしてサドル５の高さを調整する。
【００２８】
サドル５の高さ調節は、レバー２０を僅か持ち上げた後該レバー２０とサドル５を一緒に掴んで、サドル５を昇降させ高さを調節する。
【００２９】
即ち、レバー２０を僅か持ち上げ付勢部材１８のロックを解除しておいて、サドル５を上方へ持ち上げ、或いは押し下げ、サドル５の高さを調節する。この時、レバー２０のサドル５に対する相対位置は、サドル５の高さに関係なく一定となる。
【００３０】
付勢部材１８（＝ガススプリング）のロック解除を述べると、前記リンク金具２１は、操作者によるレバー２０の作動を当該リンク金具２１の作動を通して前記ロック機構に伝導し、前記ロック機構のロック作用を解除する。更に詳しくは、レバー２０を上方に動かすと、略く字形状のリンク金具２１が回動し、リンク金具２１の先端部が前記プッシュロッドを押圧する。リンク金具２１の押圧によって前記プッシュロッドは退入させられ、付勢部材１８内の弁（図示省略）が開き、付勢部材１８のロッド部３９は進退動が自由になる。
【００３１】
サドル５を適宜位置に上昇後レバー２０を離し付勢部材１８のロッド部３９を進退不自在にロックし、固定する。サドル５の上位高さは、患者の能力又は身長等に対応させて、決める。
【００３２】
肘受け１３の高さも調整し、患者を歩行に好適な立位姿勢になし、歩行運動を行なう。肘受け１３の高さ調節は、サドル５の高さ調節とは別に行なう。即ち、支持ロック機構１２のロック作用を解除しておいて、内筒１１を自在に昇降させる。肘受け１３を好適位置にして、内筒１１を外筒１０で挟み込み、肘受け１３の動きを固定し、肘受け１３の高さを調節する。
【００３３】
角度調節器３０は、サドル５を昇降部１７に載設し、該サドル５の座面の角度を変更調節の後固定する。通常、サドル５の座面は前傾状に固定している。
昇降部１７に支持されるサドル５は、角度を調節可能であり、座面を適宜に変更する。
【００３４】
昇降部１７はサドル５を昇降させる。
昇降部１７は、取付機構２５で取付部８へ掛止する。即ち、昇降部１７のベース１５に設けられた鉤穴２７を、フレーム３に設けられたピン２６に引っ掛け、更に、ノブネジ２８でベース１５を取付部８へネジ止めする。この昇降部１７はフレーム３に、容易に取着できると共に容易な操作で離脱できる。
【００３５】
歩行運動時にサドル５が邪魔になれば、先ず、ノブネジ２８を外し、次に、昇降部１７を僅か持ち上げて、フレーム３のピン２６から昇降部１７の鉤穴２７を外し、昇降部１７及びサドル５をフレーム３から離脱させる。この離脱操作は短時間に実施できる。
尚、前述の離脱に代えて、昇降部１７及びサドル５を折り畳んで小体積にして取付部８に取着してもよい。
患者が歩行すると、車輪３６が回転し実施例が歩行を補助する。
【００３６】
実施例を起立運動に使用する時は、車輪３６をロックし、患者はサドル５に座り、肘受け１３に肘を乗せる。
患者は、握り部２２を握り、上体を前に移行しながら起立し、座姿勢から起立姿勢に移行する。続いて、起立姿勢から座姿勢に移行する。これらの動作を適宜繰り返し行なう。
【００３７】
【発明の効果】
本発明は、フレーム３に昇降部１７が設けられた歩行車３５において、前記昇降部１７をフレーム３から着脱可能にしたものである。この構成によれば、昇降部１７を取り外せるので、従来のサドル５のない歩行車３５としても活用できる。従って、より広範囲な障害の程度の患者に利用でき、又、障害の程度に合わせた種類の違う歩行車を購入することなく少ない購入台数の歩行車で対応でき出費の節減になり、更に、少ない台数の購入で足りるので多数台購入して置き場所に困るといったこともなく、好都合である。
【００３８】
本発明は、昇降部１７のベース１５に、被掛止部３８を設け、フレーム３に掛止部３７を設けたものであるから、フレーム３から昇降部１７を着脱する際に、その着脱操作は、ノブネジ２８を外した後、被掛止部３８（＝鉤穴２７）を、掛止部３７（＝ピン２６）から外すだけの容易な操作で、短時間に行なえ、使用者が昇降部１７を暫時支え持つという必要がなく、短時間に安全かつ容易に着脱することができ、好都合である。
【００３９】
本発明は、歩行車３５において、サドル５はその座面を傾斜させて昇降部１７に取着される。この構成によれば、サドル５がやや前傾しているために、患者に対して「座り直し作用」が働き、患者が無意識的に又は意識的に座り直そうとする。従って、サドル５に頼り過ぎることなく、より効果的な歩行運動ができ、好都合である。
【００４０】
本発明に係るサドル５は角度を調節可能に取り付けられるので、患者の障害の程度に合わせて、座面の取付角度を調節でき、患者ごとに効果的な歩行運動を行なえ、好都合である。
【図面の簡単な説明】
【図１】本発明の実施例の右側面図である。
【図２】本発明の実施例の正面図である。
【図３】本発明の実施例の平面図である。
【図４】本発明の実施例に係る昇降部を示す図である。
【図５】本発明の実施例に係る角度調節器を示す図である。
【符号の説明】
１  サドル着脱昇降式歩行車
３  フレーム
５  サドル
１５  ベース
１７  昇降部
３５  歩行車
３７  掛止部
３８  被掛止部
【図１】
2005021327.tif 000003
【図２】
2005021327.tif 000004
【図３】
2005021327.tif 000005
【図４】
2005021327.tif 000006
【図５】
2005021327.tif 000007